(57)【要約】【課題】送信側にデータが入力された間隔と同じ間隔で受信側からデータを出力することが可能な無線伝送システムを提供する。【解決手段】送信側の無線装置１１０において、ＭＡＣ部１１２に設けられたフレーム情報付与部１１５が、受信側の無線装置１２０に送信するデータに、当該データが入力されたタイミングを示すフレーム情報を付与する。受信側の無線装置１２０において、ＭＡＣ部１２３に設けられたタイミング復元部１２５が、受信したデータに付与されたフレーム情報と、割り当てパターンの繰り返し周期の無線フレーム数とに基づいて、当該データが送信側の無線装置１１０に入力されたタイミングに対応するタイミングで、データ出力する。【選択図】図９
2020053748.tif 000002
【特許請求の範囲】
【請求項１】
送信側の無線装置と受信側の無線装置の間が複数の無線区間で構成された無線伝送システムにおいて、
各々の無線区間で重複がないように一定のパターンで無線フレームを割り当てると共に、その割り当てパターンを周期的に繰り返すように設定されており、
前記送信側の無線装置は、前記受信側の無線装置に送信するデータに、当該データが入力されたタイミングを示すフレーム情報を付与し、
前記受信側の無線装置は、受信したデータに付与されたフレーム情報と、前記割り当てパターンの繰り返し周期の無線フレーム数とに基づいて、当該データが前記送信側の無線装置に入力されたタイミングに対応するタイミングで、データ出力することを特徴とする無線伝送システム。
【請求項２】
請求項１に記載の無線伝送システムにおいて、
前記送信側の無線装置は、前記受信側の無線装置に送信するデータに、当該データが入力されたタイミングで得られたフレームカウンタ値を、前記フレーム情報としてデータに付与し、
前記受信側の無線装置は、受信したデータに付与されたフレームカウンタ値を前記繰り返し周期の無線フレーム数で除算した余りと、前記受信側の無線装置で管理しているフレームカウンタ値を前記繰り返し周期の無線フレーム数で除算した余りとが一致したタイミングで、データ出力することを特徴とする無線伝送システム。
【請求項３】
請求項１に記載の無線伝送システムにおいて、
前記送信側の無線装置は、前記受信側の無線装置に送信するデータに、当該データが入力されたタイミングで得られたフレームカウンタ値から現在の繰り返し周期の先頭の無線フレームのフレーム番号を差し引いたオフセット値を、前記フレーム情報としてデータに付与し、
前記受信側の無線装置は、受信したデータに付与されたオフセット値と現在の繰り返し周期の先頭の無線フレームのフレーム番号とを加算した値と、前記受信側の無線装置で管理しているフレームカウンタ値とが一致したタイミングで、データ出力することを特徴とする無線伝送システム。
【請求項４】
送信側の無線装置と受信側の無線装置の間が複数の無線区間で構成された無線伝送システムにより実行される無線伝送方法において、
前記無線伝送システムは、各々の無線区間で重複がないように一定のパターンで無線フレームを割り当てると共に、その割り当てパターンを周期的に繰り返すように設定されており、
前記送信側の無線装置が、前記受信側の無線装置に送信するデータに、当該データが入力されたタイミングを示すフレーム情報を付与し、
前記受信側の無線装置が、受信したデータに付与されたフレーム情報と、前記割り当てパターンの繰り返し周期の無線フレーム数とに基づいて、当該データが前記送信側の無線装置に入力されたタイミングに対応するタイミングで、データ出力することを特徴とする無線伝送方法。
【請求項５】
請求項４に記載の無線伝送方法において、
前記送信側の無線装置が、前記受信側の無線装置に送信するデータに、当該データが入力されたタイミングで得られたフレームカウンタ値を、前記フレーム情報としてデータに付与し、
前記受信側の無線装置が、受信したデータに付与されたフレームカウンタ値を前記繰り返し周期の無線フレーム数で除算した余りと、前記受信側の無線装置で管理しているフレームカウンタ値を前記繰り返し周期の無線フレーム数で除算した余りとが一致したタイミングで、データ出力することを特徴とする無線伝送方法。
【請求項６】
請求項４に記載の無線伝送方法において、
前記送信側の無線装置が、前記受信側の無線装置に送信するデータに、当該データが入力されたタイミングで得られたフレームカウンタ値から現在の繰り返し周期の先頭の無線フレームのフレーム番号を差し引いたオフセット値を、前記フレーム情報としてデータに付与し、
前記受信側の無線装置が、受信したデータに付与されたオフセット値と現在の繰り返し周期の先頭の無線フレームのフレーム番号とを加算した値と、前記受信側の無線装置で管理しているフレームカウンタ値とが一致したタイミングで、データ出力することを特徴とする無線伝送方法。
【発明の詳細な説明】
【技術分野】
【０００１】
本発明は、無線通信を用いてデータを伝送する無線伝送システムに関する。
【背景技術】
【０００２】
図１には、公共ブロードバンド無線システム（以下、公共ＢＢ無線システム）の構成例を示してある。図１の公共ＢＢ無線システムは、送信側のネットワーク機器である送信処理部１が基地局（親局）２に接続され、受信側のネットワーク機器である受信処理部４が端末局（子局）３に接続された構成となっている。送信処理部１に入力されたデータは、基地局（親局）２から端末局（子局）３へ無線送信され、受信処理部４から出力される。なお、端末局３から基地局２にデータを送信する場合には、これらの関係が逆になる。
【０００３】
図２には、公共ＢＢ無線システムで使用される無線装置の構成例を示してある。送信側の無線装置１０は、送信データ処理部１１と、ＭＡＣ（Medium  Access  Control  layer）部１２と、ＰＨＹ（PHYsical  layer）部１３と、ＲＦ（Radio  Frequency）部１４とを備えている。受信側の無線装置２０は、ＲＦ部２１と、ＰＨＹ部２２と、ＭＡＣ部２３と、受信データ処理部２４とを備えている。
【０００４】
送信データ処理部１１及び受信データ処理部２４は、無線装置に接続されたネットワーク機器とＭＡＣ部１２，２３との接続インタフェースとなるブロックである。ＭＡＣ部１２，２３は、無線フレームの組み立てや分解などを行うブロックである。ＰＨＹ部１３，２２は、変復調や誤り訂正などを行うブロックである。ＲＦ部１４，２１は、アンテナにより送受信する信号の増幅や変復調などを行うブロックである。
【０００５】
送信側の無線装置１０に接続されたネットワーク機器から入力されたデータは、送信データ処理部１１、ＭＡＣ部１２、ＰＨＹ部１３、ＲＦ部１４の順に処理され、無線装置１０のアンテナから送信される。受信側の無線装置２０のアンテナで受信されたデータは、ＲＦ部２１、ＰＨＹ部２２、ＭＡＣ部２３、受信データ処理部２４の順に処理され、無線装置２０に接続されたネットワーク機器に出力される。
【０００６】
一般的なデジタル無線方式では、無線信号の時間方向の情報を一定の期間で分割して伝送する。この一定の期間に分割された無線信号のブロックを無線フレームと呼ぶ。図３には、公共ＢＢの規格であるＡＲＩＢ  ＳＴＤ−Ｔ１０３（ＩＥＥＥ  ８０２．１６−２００９準拠）のようなＯＦＤＭＡ（Orthogonal Frequency-Division Multiple Access：直交周波数分割多元接続）の無線フレームの構成例を示してある。
【０００７】
公共ＢＢ無線システムの無線通信は、連続した無線フレームを使用して実現される。１つの無線フレームは、ＤＬ（Downlink）サブフレームとＵＬ（Uplink）サブフレームに時間方向に分割される。ＤＬサブフレームは、基地局から端末局への下り方向の通信に使用され、ＵＬサブフレームは、端末局から基地局への上り方向の通信に使用される。
公共ＢＢ無線システムでは、基地局と端末局間で無線フレームが連続しているため、図４に示すように、間欠的なデータ伝送を行っても、送信側のデータ入力タイミングと受信側のデータ出力タイミングのばらつきは概ね一定に保たれる。
【０００８】
このような無線システムに関し、従来より種々の発明が提案されている。例えば、特許文献１には、同一の無線局に複数設けられてそれぞれ他の無線局との間で無線通信を行う無線ユニットにおいて、他の無線ユニットとの間でフレームタイミングを一致させるための発明が開示されている。
【先行技術文献】
【特許文献】
【０００９】
【特許文献１】特開２００６−２４５９７３号公報
【発明の概要】
【発明が解決しようとする課題】
【００１０】
図５には、多段中継による無線伝送システムの構成例を示してある。図５の無線伝送システムは、図１に例示したシステムの基地局２と端末局３の間に、第１中継局（子局）５と、第２中継局（子局）６とを配置した構成となっている。すなわち、基地局２と端末局３の間の通信は、２段の中継局５，６によって中継される。
【００１１】
このような中継無線方式において、中継の各無線リンクを時分割の無線フレームで伝送するシステムが提案されている。図６には、多段中継の無線伝送システムで使用される無線フレームの構成例を示してある。同図の例では、無線フレームを一定の周期（繰り返し周期）でグループ化すると共に、繰り返し周期内で無線フレームを時分割して各無線区間に割り当てている。換言すれば、各々の無線区間で無線フレームが重複しないように一定のパターンで割り当てると共に、その割り当てパターンを周期的に繰り返すように設定してある。このようなフレーム割り当てとすることで、互いの無線送受信の干渉を回避する仕組みとなっている。
【００１２】
ここで、図６のフレーム割当てにおいて、端末局から基地局にデータを送信する場合を考える。
図７、図８には、従来の無線伝送システムにおける多段中継の間欠データ伝送の例を示してある。図７は、データの入力周期が繰り返し周期より短い場合の例であり、図８は、データの入力周期が繰り返し周期より長い場合の例である。図７、図８において、端末局は送信側の無線装置１０として動作し、基地局は受信側の無線装置２０として動作する。また、図の下部にある複数の上向き矢印は、端末局にデータが入力されたタイミングを示し、図の上部にある複数の上向き矢印は、基地局からデータが出力されたタイミングを示している。また、図内の数字はデータを表しており、同じデータには同じ数字を付すことで、端末局から基地局に伝送されるデータの流れを視覚的に表現している。
【００１３】
図７の例では、無線フレームの繰り返し周期（１２フレーム周期）より短い１０フレーム周期で端末局にデータが入力されている。この場合、各無線区間への無線フレームの割り当て周期がデータ入力周期より長いため、基地局からデータを出力する間隔が少し長くなるところ（１→２→３→４、５→６→７）と、出力が連続するところ（４→５）とがある。
【００１４】
一方、図８の例では、無線フレームの繰り返し周期（１２フレーム周期）より長い１４フレーム周期で端末局にデータが入力されている。この場合、各無線区間への無線フレームの割り当て周期がデータ入力周期より短いため、基地局からデータを出力する間隔が全体的に少し短くなり（１→２→３、４→５）、一部で長くなる（３→４）。
【００１５】
このように、従来の多段中継の無線伝送システムは、端末局に入力されたデータは、端末局への入力周期に応じて、データ入力間隔とは異なる間隔で基地局から出力される構成となっていた。すなわち、従来の多段中継の無線伝送システムは、端末局への入力間隔と同じ間隔で基地局から出力する必要があるデータの伝送には対応していなかった。このため、そのようなデータを取り扱うには、基地局や端末局に接続されたネットワーク機器側に、入力データにタイムスタンプや時刻情報などを付す仕組みや、それらの情報に応じたタイミングで受信データを出力する仕組みなどを追加する必要があった。
【００１６】
本発明は、上記のような従来の事情に鑑みて為されたものであり、送信側にデータが入力された間隔と同じ間隔で受信側からデータを出力することが可能な無線伝送システムを提供することを目的とする。
【課題を解決するための手段】
【００１７】
上記目的を達成するために、本発明では、無線伝送システムを以下のように構成した。
すなわち、本発明に係る無線伝送システムは、送信側の無線装置と受信側の無線装置の間が複数の無線区間で構成された無線伝送システムにおいて、各々の無線区間で重複がないように一定のパターンで無線フレームを割り当てると共に、その割り当てパターンを周期的に繰り返すように設定されており、前記送信側の無線装置は、前記受信側の無線装置に送信するデータに、当該データが入力されたタイミングを示すフレーム情報を付与し、前記受信側の無線装置は、受信したデータに付与されたフレーム情報と、前記割り当てパターンの繰り返し周期の無線フレーム数とに基づいて、当該データが前記送信側の無線装置に入力されたタイミングに対応するタイミングで、データ出力することを特徴とする。
【００１８】
ここで、一構成例として、前記送信側の無線装置は、前記受信側の無線装置に送信するデータに、当該データが入力されたタイミングで得られたフレームカウンタ値を、前記フレーム情報としてデータに付与し、前記受信側の無線装置は、受信したデータに付与されたフレームカウンタ値を前記繰り返し周期の無線フレーム数で除算した余りと、前記受信側の無線装置で管理しているフレームカウンタ値を前記繰り返し周期の無線フレーム数で除算した余りとが一致したタイミングで、データ出力するよう構成される。
【００１９】
また、別の構成例として、前記送信側の無線装置は、前記受信側の無線装置に送信するデータに、当該データが入力されたタイミングで得られたフレームカウンタ値から現在の繰り返し周期の先頭の無線フレームのフレーム番号を差し引いたオフセット値を、前記フレーム情報としてデータに付与し、前記受信側の無線装置は、受信したデータに付与されたオフセット値と現在の繰り返し周期の先頭の無線フレームのフレーム番号とを加算した値と、前記受信側の無線装置で管理しているフレームカウンタ値とが一致したタイミングで、データ出力するよう構成される。
【発明の効果】
【００２０】
本発明によれば、送信側にデータが入力された間隔と同じ間隔で受信側からデータを出力することが可能な無線伝送システムを提供することができる。
【図面の簡単な説明】
【００２１】
【図１】公共ＢＢ無線システムの構成例を示す図である。
【図２】公共ＢＢ無線システムで使用される無線装置の構成例を示す図である。
【図３】公共ＢＢ無線システムで使用される無線フレームの構成例を示す図である。
【図４】公共ＢＢ無線システムによる間欠データ伝送の例を示す図である。
【図５】多段中継の無線伝送システムの構成例を示す図である。
【図６】多段中継の無線伝送システムで使用される無線フレームの構成例を示す図である。
【図７】従来の無線伝送システムにおける多段中継の間欠データ伝送（データの入力周期が繰り返し周期より短い場合）の例を示す図である。
【図８】従来の無線伝送システムにおける多段中継の間欠データ伝送（データの入力周期が繰り返し周期より長い場合）の例を示す図である。
【図９】本発明の一実施形態に係る無線伝送システムで使用される無線装置の構成例を示す図である。
【図１０】図９の無線伝送システムにおける無線区間パケットのフレームフォーマットの例を示す図である。
【図１１】図９の無線伝送システムにおけるフレーム情報付与部の処理フローの例を示す図である。
【図１２】図９の無線伝送システムにおけるタイミング復元部の処理フローの例を示す図である。
【図１３】図９の無線伝送システムにおける多段中継の間欠データ伝送（データの入力周期が繰り返し周期より短い場合）の例を示す図である。
【図１４】図９の無線伝送システムにおける多段中継の間欠データ伝送（データの入力周期が繰り返し周期より長い場合）の例を示す図である。
【発明を実施するための形態】
【００２２】
本発明の一実施形態に係る無線伝送システムについて、図面を参照して説明する。
図９には、本発明の一実施形態に係る無線伝送システムで使用される無線装置の構成例を示してある。本例の無線伝送システムは、例えば、多段中継による映像伝送に使用される。
【００２３】
無線装置（送信局）１１０は、データ入力側のネットワーク機器が接続される無線装置であり、送信データ処理部１１１と、ＭＡＣ部１１２と、ＰＨＹ部１１３と、ＲＦ部１１４とを備えている。送信データ処理部１１１、ＰＨＹ部１１３、ＲＦ部１１４は、従来の無線装置１０の送信データ処理部１１、ＰＨＹ部１３、ＲＦ部１４と同じ動作を行う。また、ＭＡＣ部１１２は、従来の無線装置１０のＭＡＣ部１１２と基本的な動作は同じだが、フレーム情報付与部１１５を有する点で異なっている。
【００２４】
無線装置（受信局）１２０は、データ出力側のネットワーク機器が接続される無線装置であり、ＲＦ部１２１と、ＰＨＹ部１２２と、ＭＡＣ部１２３と、受信データ処理部１２４とを備えている。ＲＦ部１２１、ＰＨＹ部１２２、受信データ処理部１２４は、従来の無線装置２０のＲＦ部２１、ＰＨＹ部２２、受信データ処理部２４と同じ動作を行う。また、ＭＡＣ部１２３は、従来の無線装置２０のＭＡＣ部２３と基本的な動作は同じだが、タイミング復元部１２５を有する点で異なっている。
【００２５】
無線装置（中継局）１３０は、無線装置１１０と無線装置１２０の間の通信を中継する無線装置であり、ＲＦ部１３１と、ＰＨＹ部１３２と、ＭＡＣ部１３３と、ＰＨＹ部１３４と、ＲＦ部１３５とを備えている。ＲＦ部１３１、ＰＨＹ部１３２は、従来の無線装置２０のＲＦ部２１、ＰＨＹ部２２と同じ動作を行う。また、ＰＨＹ部１３４、ＲＦ部１３５は、従来の無線装置１０のＰＨＹ部１３、ＲＦ部１４と同じ動作を行う。また、ＭＡＣ部１３３は、従来の中継用の無線装置のＭＡＣ部と基本的な動作は同じだが、フレーム情報受け渡し部１３６を有する点で異なっている。
【００２６】
ここで、無線装置１１０〜１３０は、それぞれの無線フレームが時間的に同期するように、無線フレームのフレーム番号を生成するフレームカウンタを制御している。また、無線フレームの繰り返し周期も、無線装置１１０〜１３０のそれぞれで同期するように制御されているものとする。
【００２７】
送信側の無線装置１１０のＭＡＣ部１１２が有するフレーム情報付与部１１５は、送信データ処理部１１１から入力されたデータをＭＡＣデータに変換する際に、当該データが入力されたときのＭＡＣ部１１２で管理されるフレームカウンタ値を、フレーム情報としてＭＡＣデータに付与する。フレーム情報付与部１１５によりフレームカウンタ値が付与されたＭＡＣデータは、ＰＨＹ部１１３へ出力される。
【００２８】
受信側の無線装置１２０のＭＡＣ部１２３が有するタイミング復元部１２５は、ＰＨＹ部１２２から入力されたＭＡＣデータに付与されたフレームカウンタ値と、無線フレームの繰り返し周期と、ＭＡＣ部１２３で管理されるフレームカウンタ値とに基づいて、受信データ処理部１２４にデータを出力するタイミングを、ＭＡＣデータに付与されたフレームカウンタ値に応じたタイミングとなるように制御する。
【００２９】
具体的には、ＭＡＣデータに付与されたフレームカウンタ値を無線フレームの繰り返し周期で除算した余りと、ＭＡＣ部１２３で管理されるフレームカウンタ値を無線フレームの繰り返し周期で除算した余りとを比較し、両者が一致したタイミングで、データの出力が行われるよう制御する。
【００３０】
なお、上記の手法は一例に過ぎず、他の手法によりデータ出力のタイミングを制御することも可能である。例えば、ＭＡＣデータに付与されたフレームカウンタ値に無線フレームの繰り返し周期を加算した値が、ＭＡＣ部１２３で管理されるフレームカウンタ値と一致したタイミングで、データの出力が行われるよう制御してもよい。ただし、この手法では、ＭＡＣデータに付与されたフレームカウンタ値に繰り返し周期を加算した値が、ＭＡＣ部１２３で管理されるフレームカウンタ値よりも小さい（既に過ぎている）可能性がある。この場合には、ＭＡＣ部１２３で管理されるフレームカウンタ値より大きくなるまで繰り返し周期の加算を繰り返した後に、ＭＡＣ部１２３で管理されるフレームカウンタ値との比較を行えばよい。
【００３１】
中継動作を行う無線装置１３０のＭＡＣ部１３３が有するフレーム情報受け渡し部１３６は、ＭＡＣ部１３３に入力されたＭＡＣデータに付与されたフレームカウンタ値を、ＭＡＣ部１３３から出力するＭＡＣデータに付与する。すなわち、送信側の無線装置１１０におけるデータ入力時のフレームカウンタ値を受信側の無線装置１２０に引き継ぐように動作する。
【００３２】
図１０には、本例の無線伝送システムで使用される無線区間パケットであるＰＤＵ（Protocol Data Unit）のフレームフォーマットの例を示してある。「Generic MAC header」は、ＰＤＵに共通に付与されるヘッダである。「Other subheader」は、Generic MAC headerに付随するその他のヘッダ（オプション）である。「CRC（Cyclic Redundancy Check）-32」は、、誤り検出符号の一種であり、ＰＤＵの整合性チェックに使用される。本例の無線伝送システムでは、ＰＤＵに「Frame information subheader」を追加し、このサブヘッダに送信側の無線フレームのフレーム情報を格納するように構成してある。
【００３３】
図１１には、フレーム情報付与部１１５の処理フローの例を示してある。
フレーム情報付与部１１５は、送信データ処理部１１１からのデータ入力を待ち（ステップＳ１１）、データ入力の有無を判定する（ステップＳ１２）。データ入力があった場合（ステップＳ１２；Ｙｅｓ）には、ＭＡＣ部１１２で管理されるフレームカウンタ値を読み込み（ステップＳ１３）、そのフレームカウンタ値をフレーム情報としてＭＡＣデータに付与し（ステップＳ１５）、ＭＡＣデータをＰＨＹ部１１３へ出力する（ステップＳ１５）。
【００３４】
図１２には、タイミング復元部１２５の処理フローの例を示す図である。なお、図中の「％」は、整数値を整数値で割った余りを算出する演算子である。
タイミング復元部１２５は、ＰＨＹ部１２２からのデータ入力を待ち（ステップＳ２１）、データ入力の有無を判定する（ステップＳ２２）。データ入力があった場合（ステップＳ２２；Ｙｅｓ）には、入力されたＭＡＣデータに付与されたフレームカウンタ値（Ａ）と、無線フレームの繰り返し周期（Ｂ）を取得する（ステップＳ２３）。その後、ＭＡＣ部１２３で管理されるフレームカウンタ値（Ｃ）を読み込み（ステップＳ２４）、ＭＡＣデータに付与されたフレームカウンタ値（Ａ）を無線フレームの繰り返し周期（Ｂ）で除算した余り（Ａ％Ｂ）と、ＭＡＣ部１２３で管理されるフレームカウンタ値（Ｃ）を無線フレームの繰り返し周期（Ｂ）で除算した余り（Ｃ％Ｂ）とを比較する（ステップＳ２５）。両方の値が一致しない場合（ステップＳ２５；Ｎｏ）には、次の無線フレームまで待機してステップＳ２４に戻る。そして、両方の値が一致した場合（ステップＳ２５；Ｙｅｓ）に、受信データ処理部１２３へのデータ出力を行う（ステップＳ２６）。
【００３５】
図１３、図１４には、本例の無線伝送システムにおける多段中継の間欠データ伝送の例を示してある。図１３は、データの入力周期が繰り返し周期より短い場合の例であり、図１４は、データの入力周期が繰り返し周期より長い場合の例である。図１３、図１４において、端末局は送信側の無線装置１１０として動作し、基地局は受信側の無線装置１２０として動作する。また、図の下部にある複数の上向き矢印は、端末局にデータが入力されたタイミングを示し、図の上部にある複数の上向き矢印は、基地局からデータが出力されたタイミングを示している。また、図内の数字はデータを表しており、同じデータには同じ数字を付すことで、端末局から基地局に伝送されるデータの流れを視覚的に表現している。また、図中の破線ブロックは、従来の無線伝送システムによるデータ出力のタイミングを示している。
【００３６】
本例の無線伝送システムによれば、図１３に示すように、データの入力周期が繰り返し周期より短い場合に、端末局にデータが入力された間隔と同じ間隔で基地局からデータを出力することが可能となる。また、図１４に示すように、データの入力周期が繰り返し周期より長い場合にも、端末局にデータが入力された間隔と同じ間隔で基地局からデータを出力することが可能となる。
【００３７】
ここで、上記の説明では、送信側のデータ入力時のフレームカウンタ値をフレーム情報として用いる構成となっていたが、フレームカウンタ値はデータサイズが比較的大きい。そこで、フレームカウンタ値に代えて、無線フレームの繰り返し周期の先頭からのオフセットをフレーム情報として用いることで、フレーム情報のデータサイズを縮小することが可能となる。
【００３８】
この場合、フレーム情報付与部１１５は、送信データ処理部１１１から入力されたデータをＭＡＣデータに変換する際に、当該データが入力されたときのＭＡＣ部１１２で管理されるフレームカウンタ値と、現在の繰り返し周期の先頭の無線フレームの無線フレーム番号とを取得し、データ入力時点のフレームカウンタ値から繰り返し周期の先頭の無線フレームの無線フレーム番号を差し引いたオフセット値を、フレーム情報としてＭＡＣデータに付与すればよい。
【００３９】
また、タイミング復元部１２５では、現在の繰り返し周期の先頭の無線フレームのフレーム番号に、ＭＡＣデータに付されたオフセット値を加算して得られたタイミングを、受信データ処理部１２３にデータを出力するタイミングとすればよい。すなわち、ＭＡＣデータに付されたオフセット値と現在の繰り返し周期の先頭の無線フレームのフレーム番号とを加算した値と、ＭＡＣ部１２３で管理されるフレームカウンタ値とを比較し、両者が一致したタイミングで、データの出力が行われるよう制御すればよい。
【００４０】
ＡＲＩＢ  ＳＴＤ−Ｔ１０３（ＩＥＥＥ  ８０２．１６−２００９準拠）の規格では、フレーム番号（フレームカウンタ値）は２４ビットとして規定されている。無線フレームの繰り返し周期が２５５フレーム以内であれば、オフセット値は８ビットで済み、無線フレームの繰り返し周期が１６フレーム以内であれば、オフセット値は４ビットで済む。したがって、フレームカウンタ値に代えてオフセット値を用いることで、フレーム情報のデータサイズを大幅に縮小できることが分かる。
【００４１】
以上説明したように、本例の無線伝送システムは、各々の無線区間で重複がないように一定のパターンで無線フレームを割り当てると共に、その割り当てパターンを周期的に繰り返すように設定されている。そして、送信側の無線装置１１０において、ＭＡＣ部１１２に設けられたフレーム情報付与部１１５が、受信側の無線装置１２０に送信するデータに、当該データが入力されたタイミングを示すフレーム情報を付与する。また、受信側の無線装置１２０において、ＭＡＣ部１２３に設けられたタイミング復元部１２５が、受信したデータに付与されたフレーム情報と、割り当てパターンの繰り返し周期の無線フレーム数とに基づいて、当該データが送信側の無線装置１１０に入力されたタイミングに対応するタイミングで、データ出力する。このような構成により、送信側の無線装置１１０にデータが入力された間隔と同じ間隔で、受信側の無線装置１２０からデータを出力することが可能となる。
【００４２】
ここで、上記の説明では、送信側と受信側の間に２つの中継局を配置した無線伝送システムを例に挙げたが、中継局の数は任意であり、１つでもよいし、３以上でもよい。
また、上記の説明では、データの送信側を端末局とし、データの受信側を基地局とした上り方向の通信を例に挙げたが、本発明は下り方向の通信にも適用することもできる。また、本発明は、上り方向の通信と下り方向の通信の両方に適用してもよく、その場合には、無線装置１１０の機能及び無線装置１２０の機能を一体的に備えた装置を、データの送信側と受信側のそれぞれに配置すればよい。
また、各々の無線区間に対する無線フレームの割り当てパターンは、上述した例に限定されるものではなく、種々の割り当てパターンを使用することができる。
【００４３】
以上、本発明について実施例に基づいて詳細に説明したが、本発明は、ここに記載された無線伝送システムに限定されるものではなく、上記以外の無線伝送システムにも広く適用できることは言うまでもない。
また、本発明は、例えば、本発明に係る処理を実行する方法や方式、そのような方法や方式を実現するためのプログラム、そのプログラムを記憶する記憶媒体などとして提供することも可能である。
【産業上の利用可能性】
【００４４】
本発明は、送信側の無線装置と受信側の無線装置の間が複数の無線区間で構成された種々の無線伝送システムに利用することができる。例えば、医療、防災、減災などの分野の無線伝送システムに利用することが可能である。
【符号の説明】
【００４５】
１：送信処理部、  ２：基地局、  ３：端末局、  ４：受信処理部、  ５：第１中継局、  ６：第２中継局、  １０：無線装置（送信局）、  １１：送信データ処理部、  １２：ＭＡＣ部、  １３：ＰＨＹ部、  １４：ＲＦ部、  ２０：無線装置（受信局）、  ２１：ＲＦ部、  ２２：ＰＨＹ部、  ２３：ＭＡＣ部、  ２４：受信データ処理部、  １１０：無線装置（送信局）、  １１１：送信データ処理部、  １１２：ＭＡＣ部、  １１３：ＰＨＹ部、  １１４：ＲＦ部、  １１５：フレーム情報付与部、  １２０：無線装置（受信局）、  １２１：ＲＦ部、  １２２：ＰＨＹ部、  １２３：ＭＡＣ部、  １２４：受信データ処理部、  １２５：タイミング復元部、  １３０：無線装置（中継局）、  １３１：ＲＦ部、  １３２：ＰＨＹ部、  １３３：ＭＡＣ部、  １３４：ＰＨＹ部、  １３５：ＲＦ部、  １３６：フレーム情報受け渡し部
【図１】
2020053748.tif 000003
【図２】
2020053748.tif 000004
【図３】
2020053748.tif 000005
【図４】
2020053748.tif 000006
【図５】
2020053748.tif 000007
【図６】
2020053748.tif 000008
【図７】
2020053748.tif 000009
【図８】
2020053748.tif 000010
【図９】
2020053748.tif 000011
【図１０】
2020053748.tif 000012
【図１１】
2020053748.tif 000013
【図１２】
2020053748.tif 000014
【図１３】
2020053748.tif 000015
【図１４】
2020053748.tif 000016